(57)【要約】【課題】冷蔵コンテナ内に収容した荷物を木枠を用いることなく水平方向に移動しないように固定する。【解決手段】固定金具１０は、コンテナの底面に設けられた支持レール２０の水平部２２の上面に載置されて荷物Ｇの一側に当接してこの荷物Ｇの水平方向の移動を規制するストッパ部材１１と、ストッパ部材１１の上面に頭部１２ａが係止されていてねじ部１２ｂが互いに隣り合う水平部２２、２２間から互いに隣り合う垂直部２１、２１間に延びるねじ部材１２と、ねじ部材１２に螺合された係止板１３とを備えている。固定金具１０の係止板１３は、ねじ部材１２を回転させたときに切除されてない一対の対角部分が互いに隣り合う垂直部２１、２１に当たって回らないようになり、上方に移動して支持レール２０の水平部２２、２２の下面に係止してストッパ部材１１を支持レール２０に固定する。【選択図】図３
2011184059.tif 000002
【特許請求の範囲】
【請求項１】
コンテナの底面に奥行き方向に延びる垂直部とこの垂直部の上端に設けられた水平部とからなるＴ字形をした複数の支持レールがコンテナの幅方向で互いに隣り合う前記水平部間に所定の間隔を設けて配置された冷蔵コンテナ内で前記支持レールの水平部上に載置して収容した荷物が水平方向に移動しないように固定する固定金具であって、
前記水平部の上面に載置されて前記荷物の一側に当接してこの荷物の水平方向の移動を規制するストッパ部材と、
前記ストッパ部材の上面に頭部が係止されていてねじ部が前記互いに隣り合う水平部間から互いに隣り合う前記垂直部間に延びるねじ部材と、
前記ねじ部材のねじ部に螺合されて前記水平部の下面に係止して前記ストッパ部材を前記支持レールに固定する係止板とを備え、
前記係止板は前記互いに隣り合う水平部間を通過可能な大きさをして、何れか一つの差し渡し幅を前記互いに隣り合う垂直部間より長くしたことを特徴とする冷蔵コンテナ内に収容した荷物の固定金具。
【請求項２】
請求項１に記載の冷蔵コンテナ内に収容した荷物の固定金具において、
前記係止板は長方形状の何れか一方の対角を結ぶ長さが前記互いに隣り合う垂直部間より長く、残る一方の対角を切除してこの対角を結ぶ長さを前記垂直部間より短くしたことを特徴とする冷蔵コンテナ内に収容した荷物の固定金具。
【請求項３】
請求項１または２に記載の冷蔵コンテナ内に収容した荷物の固定金具において、
前記ストッパ部材には前記ねじ部材のねじ部が挿通される長い切り欠きまたは長孔を形成したことを特徴とする冷蔵コンテナ内に収容した荷物の固定金具。
【発明の詳細な説明】
【技術分野】
【０００１】
本発明は、リーファーコンテナ等の冷蔵コンテナ内に収容した荷物が水平方向に移動しないように固定する固定金具に関する。
【背景技術】
【０００２】
常温の貨物を輸送するドライコンテナは底面に合板が敷き詰められており、コンテナの幅方向及び奥行き方向の長さと異なる荷物を収容したときには、荷物の移動を規制したい側の底面の合板に角材を釘等で打ち付けて荷物が移動しないようにしている。これに対し、リーファーコンテナ等の冷蔵コンテナは、その底面に奥行き方向に延びる金属製よりなるＴ字形の複数の支持レールがコンテナの幅方向に敷き詰められているので、コンテナの幅方向及び奥行き方向の長さが異なる荷物を収容したときには、荷物が移動しないように荷物の移動を規制したい側の底面に角材を釘等で打ち付けることができなかった。そこで、このような冷蔵コンテナＣでは、コンテナの幅方向及び奥行き方向の長さと異なる荷物Ｇを収容したときには、図５に示すように、井桁状に組んだ木枠Ｆにより荷物Ｇが輸送中に動かないように固定している。
【発明の概要】
【発明が解決しようとする課題】
【０００３】
上述したように、冷蔵コンテナＣにおいては、コンテナの幅方向及び奥行き方向の長さと異なる荷物を収容したときに、井桁状に組んだ木枠Ｆにより荷物の移動を規制している。しかし、井桁状の木枠Ｆは、多くの木材を使用しているのでコストが高くなる問題があった。また、井桁状の木枠Ｆは、他の荷物を輸送するときにその大きさが異なると再利用しにくくて破棄されることが多く、環境に与える負荷が大きいという問題があった。本発明は、このような問題を解決することを目的とする。
【課題を解決するための手段】
【０００４】
本発明は上記課題を解決するため、コンテナの底面に奥行き方向に延びる垂直部とこの垂直部の上端に設けられた水平部とからなるＴ字形をした複数の支持レールがコンテナの幅方向で互いに隣り合う水平部間に所定の間隔を設けて配置された冷蔵コンテナ内で支持レールの水平部上に載置して収容した荷物が水平方向に移動しないように固定する固定金具であって、水平部の上面に載置されて荷物の一側に当接してこの荷物の水平方向の移動を規制するストッパ部材と、ストッパ部材の上面に頭部が係止されていてねじ部が互いに隣り合う水平部間から互いに隣り合う垂直部間に延びるねじ部材と、ねじ部材のねじ部に螺合されて水平部の下面に係止してストッパ部材を支持レールに固定する係止板とを備え、係止板は互いに隣り合う水平部間を通過可能な大きさをして、何れか一つの差し渡し幅を互いに隣り合う垂直部間より長くしたことを特徴とする冷蔵コンテナ内に収容した荷物の固定金具を提供するものである。
【０００５】
上記のように構成した冷蔵コンテナ内に収容した荷物の固定金具においては、係止板はコンテナの底面に配置された支持レールの垂直部間でねじ部材に螺合されていて、係止板はねじ部材を締め付けたときに差し渡し幅が支持レールの垂直部間より長い部分が垂直部に当たって回転しなくなって上方に移動するようになる。コンテナの底部の支持レールの水平部の上面に載置されて荷物の一側に当接させたストッパ部材は、ねじ部材を締め付けると上方に移動する係止板が支持レールの水平部の下面に係止することで支持レールに固定され、冷蔵コンテナ内に収容した荷物の水平方向の移動を規制することができる。これにより、固定金具は、冷蔵コンテナ内に収容した荷物を木枠等の多量の木材を用いることなく水平方向の移動を規制して固定することが可能となる。
【０００６】
上記のように構成した冷蔵コンテナ内に収容した荷物の固定金具においては、その一実施形態として、係止板は長方形状の何れか一方の対角を結ぶ長さが互いに隣り合う垂直部間より長く、残る一方の対角を切除してこの対角を結ぶ長さを垂直部間より短くすれば、係止板の加工が簡単となる。
【０００７】
上記のように構成した冷蔵コンテナ内に収容した荷物の固定金具においては、ストッパ部材にはねじ部材のねじ部が挿通される長い切り欠きまたは長孔を形成するのが好ましく、このようにすれば、ストッパ部材は長い切り欠きまたは長孔の範囲で位置調整をすることができ、荷物に確実に当接した状態で支持レールの水平部に載置することができる。
【図面の簡単な説明】
【０００８】
【図１】本発明に係る固定金具により冷蔵コンテナ内に収容した荷物を固定した平面概略図である。
【図２】固定金具の斜視図である。
【図３】固定金具により荷物を固定した断面図である。
【図４】図３のＡ−Ａ線における断面図である。
【図５】冷蔵コンテナ内に収容した荷物を井桁状の木枠により固定した平面概略図である。
【発明を実施するための形態】
【０００９】
以下、本発明に係る冷蔵コンテナＣ内に収容した荷物を固定する固定金具の一実施形態を図１〜図４を用いて説明する。本発明に係る固定金具１０は、コンテナの底面に奥行き方向に延びる垂直部２１とこの垂直部２１の上端に設けられた水平部２２とからなるＴ字形をした複数の支持レール２０がコンテナの幅方向で互いに隣り合う水平部２２、２２間に所定の間隔を設けて配置された冷蔵コンテナＣ内で支持レール２０の水平部２２、２２上に載置して収容した荷物Ｇが水平方向に移動しないように固定するものである。この固定金具１０は、水平部２２の上面に載置されて荷物Ｇの一側に当接してこの荷物Ｇの水平方向の移動を規制するストッパ部材１１と、ストッパ部材１１の上面に頭部１２ａが係止されていてねじ部１２ｂが互いに隣り合う水平部２２、２２間から互いに隣り合う垂直部２１、２１間に延びるボルト（ねじ部材）１２と、ボルト１２のねじ部１２ｂに螺合されて水平部２２、２２の下面に係止してストッパ部材１１を支持レール２０に固定する係止板１３とを備え、係止板１３は互いに隣り合う水平部２２、２２間を通過可能な大きさをして、何れか一つの差し渡し幅を互いに隣り合う垂直部２１、２１間より長くしたものである。以下に、本発明に係る固定金具１０について詳述する。
【００１０】
本発明に係る固定金具１０が用いられるのは主として冷蔵コンテナＣであり、この冷蔵コンテナＣは、コンテナの底面に奥行き方向に延びる垂直部２１とこの垂直部２１の上端に設けられた水平部２２とからなるＴ字形をした複数の金属製の支持レール２０がコンテナの幅方向で互いに隣り合う水平部２２、２２を所定の間隔を設けて連続して配置されたものである。この冷蔵コンテナＣでは、図示しない冷却装置から送られる冷気を互いに隣り合う垂直部２１、２１間に通過させるようにしてコンテナ内部を冷却している。この冷蔵コンテナＣにおいて、支持レール２０の互いに隣り合う水平部２２、２２間は２６ｍｍとなっており、支持レール２０の互いに隣り合う垂直部２１、２１間は５５ｍｍとなっている。
【００１１】
固定金具１０は、ストッパ部材１１と、ボルト１２と、係止板１３とを備えている。ストッパ部材１１は、荷物Ｇの一側に当接させて荷物Ｇが水平方向に移動するのを規制するものである。図２及び図３に示すように、ストッパ部材１１は、支持レール２０の水平部２２上に載置される水平板部１１ａと、この水平板部１１ａの一端から上方に折り曲げられて荷物Ｇの一側に当接する垂直板部１１ｂとからなるＬ字形の板金部材である。ストッパ部材１１の水平板部１１ａには、ボルト１２のねじ部１２ｂを挿通するための長い切り欠き１１ｃが形成されている。ストッパ部材１１は、垂直板部１１ｂが荷物Ｇの一側に当接した状態で水平板部１１ａが水平部２２上に載置されていて、水平板部１１ａの切り欠き１１ｃの少なくとも一部は互いに隣り合う水平部２２、２２間の隙間の上側にある位置に配置される。ボルト１２は、頭部１２ａがストッパ部材１１の水平板部１１ａに係止され、ねじ部１２ｂが切り欠き１１ｂから互いに隣り合う水平部２２、２２間を通って互いに隣り合う垂直部２１、２１間に延びている。
【００１２】
図２及び図３に示すように、係止板１３は、ボルト１２のねじ部１２ｂに螺合した状態で支持レール２０の水平部の下面に係止してストッパ部材１１を支持レール２０に固定するものである。係止板１３は略長方形をした板金部材よりなり、一組の対角の一部がアールを形成するように切除されている。係止板１３の中央部には、ボルト１２のねじ部１２ｂを挿通するための貫通孔１３ａが形成されており、係止板１３の下面には、貫通孔１３ａと連通した状態でボルト１２に螺合するナット１４が溶接により固定されている。係止板１３は、短辺が３０ｍｍ、長辺が５５ｍｍとなっており、切除していない対角の長さが６２．６ｍｍ、切除した対角の長さは５４．５ｍｍとなっている。
【００１３】
以上のように構成した固定金具１０を用いた冷蔵コンテナＣ内の荷物Ｇの固定について説明する。図１に示すように、冷蔵コンテナＣ内に荷物Ｇを搬入する。この実施形態で説明する荷物Ｇは、冷蔵コンテナＣの横幅より短い長さのパレットに載せられている。荷物Ｇは、先ず冷蔵コンテナＣの奥壁と一方の側壁に当接する位置に搬入され、冷蔵コンテナＣ内で奥行き方向に間隔を空けることなく一方の側壁または他方の側壁に当接するように左右交互に搬入される。各荷物Ｇは、冷蔵コンテナＣの一方または他方の側壁に当接した状態で、他方側または一方側に移動しないように固定金具１０により固定される。
【００１４】
固定金具１０により荷物Ｇを固定するときには、ボルト１２の頭部１２ａをストッパ部材１１の水平板部１１ａに係止させておき、ボルト１２のねじ部１２ｂの下端部に係止板１３のナット１４を螺合させておく。荷物Ｇの水平方向の移動を規制したい側の一側側で、ボルト１２の頭部１２ａを持って係止板１３を斜めにして支持レール２０の水平部２２、２２間を通して垂直部２１、２１間に配置する。このとき、図４（ａ）に示すように、係止板１３は、長辺が支持レール２０の垂直部２１が延びる方向となっている。次に、ストッパ部材１１を垂直板部１１ｂが荷物Ｇの一側に当接した状態で水平板部１１ａを支持レール２０の水平部２２上に載置する。
【００１５】
ストッパ部材１１を荷物Ｇの一側に当接した状態にして、ボルト１２を締め付けると、係止板１３はボルト１２とともに支持レール２０の互いに隣り合う垂直部２１、２１間で回転する。係止板１３の切除された一組の対角の長さは互いに隣り合う垂直部２１、２１間の長さより短いので、図４（ｂ）に示すように、係止板１３は切除された対角部分が垂直部２１、２１に係合することなく回転する。係止板１３の切除されていない一組の対角の長さは互いに隣り合う垂直部２１、２１間の長さより長いので、図４（ｃ）に示すように、係止板１３は、長辺が支持レール２０の垂直部２１と直交する位置で短辺が垂直部２１、２１に当たって回転しなくなる。この状態でボルト１２を締め付けると、係止板１３は上方に移動して支持レール２０の互いに隣り合う水平部２２、２２の下面に係止する。これにより、ストッパ部材１１は支持レール２０に堅固に固定され、固定金具１０は荷物Ｇを水平方向に移動しないように固定できる。
【００１６】
上記のように構成した固定金具１０においては、係止板１３は支持レール２０の互いに隣り合う水平部２２、２２間を通過可能な大きさであり、係止板１３は切除されていない一組の対角の長さが支持レール２０の互いに隣り合う垂直部２１、２１間の長さより長くなっている。係止板１３を支持レール２０の互いに隣り合う水平部２２、２２間を通して互いに隣り合う垂直部２１、２１間に配置して、ボルト１２を締め付けると、係止板１３の切除していない一対の対角部分が垂直部２１、２１に当たって回転しなくなる。このような状態でボルト１２をさらに締め付けると、係止板１３は上方に移動して支持レール２０の互いに隣り合う水平部２２、２２の下面に係止し、ストッパ部材１１を支持レール２０に固定することができる。これにより、本発明に係る固定金具１０は、冷蔵コンテナＣ内に収容した荷物Ｇを木枠等の多量の木材を用いることなく水平方向の移動を規制して固定することが可能となる。また、本発明に係る固定金具１０は、Ｌ字形の板金部材よりなるストッパ部材１１と、ボルト１２と、ナット１４を溶接により固定した板金部材よりなる係止板１３とからなるので、木枠等の木材を用いたときより製造コストを低く押さえることができる。また、本発明に係る固定金具１０は、コンテナの底面に設けられた支持レール２０に固定するものであるので、支持レール２０が設けられていればコンテナの奥行き方向及び幅方向の所望の位置で荷物Ｇを移動しないように固定することができる。さらに、固定金具１０は、冷蔵コンテナＣにより荷物Ｇを輸送するたびにその大きさが異なっていても、コンテナ内の所望の位置で何度でも再利用が可能であるので、コストを低く抑えることができるとともに環境に与える負荷を小さくすることができる。
【００１７】
また、固定金具１０のストッパ部材１１にはボルト１２のねじ部１２ｂが挿通される長い切り欠き１１ｃが形成されているので、ストッパ部材１１は支持レール２０の水平部２２上で長い切り欠き１１ｃの範囲の位置調整をすることができ、荷物Ｇに確実に当接した状態で移動しないように固定することができる。
【００１８】
上記の実施形態においては、係止板１３の下面にナット１４を溶接により固定しているが、本発明はこれに限られるものでなく、係止板１３の中央部に形成した貫通孔１３ａに雌ねじを穿設するようにしても同様の作用効果を得ることができる。
【００１９】
また、上記の実施形態においては、ストッパ部材１１には長い切り欠き１１ｃを形成しているが、本発明はこれに限られるものでなく、ストッパ部材１１に長孔を形成するようにしても同様の作用効果を得ることができる。
【符号の説明】
【００２０】
１０…固定金具、１１…ストッパ部材、１１ｃ…長い切り欠き、１２…ねじ部材（ボルト）、１２ａ…頭部、１２ｂ…ねじ部、１３…係止板、２０…支持レール、２１…垂直部、２２…水平部、Ｃ…冷蔵コンテナ、Ｇ…荷物。
【図１】
2011184059.tif 000003
【図２】
2011184059.tif 000004
【図３】
2011184059.tif 000005
【図４】
2011184059.tif 000006
【図５】
2011184059.tif 000007